(57)【要約】【課題】交差して配置するブレースの交差位置や交差角度を任意に変更することが可能な交差部金物を提供する。【解決手段】一方のブレース部材１に貫通孔４を設ける。該貫通孔４に他方のブレース部材２を貫通させる。一方のブレース部材１の長手略中央に連結する交差接続体３を設ける。該交差接続体３に貫通孔４を形成する。一方のブレース部材を二分して交差接続体の両端に着脱自在にねじ止めする。一対のブレース部材１、２を交差して配置する。【選択図】  図１
0003224828.tif 000002
【実用新案登録請求の範囲】
【請求項１】
一方のブレース部材に他方のブレース部材を貫通させる貫通孔が設けられ、これら一対のブレース部材を交差して配置する交差部金物において、前記貫通孔は前記一方のブレース部材の長手略中央に連結される交差接続体に形成され、前記一方のブレース部材を二分して交差接続体の両端に着脱自在にねじ止めしたことを特徴とする交差部金物。
【請求項２】
前記交差接続体は、前記貫通孔を形成した交差本体と、該交差本体の両端部に設けられた連結部とを備え、前記一方のブレース部材の端部を各連結部にねじ止めするように構成した請求項１記載の交差部金物。
【請求項３】
前記貫通孔を長孔状に形成し、該貫通孔に挿通して交差した各ブレース部材の交差角度が６０度乃至９０度の角度で交差するように構成した請求項１記載の交差部金物。
【考案の詳細な説明】
【技術分野】
【０００１】
本考案は、建築構造物の耐震性を向上させるために、柱と梁で囲まれる空間に装着する交差部金物に関するものである。
【背景技術】
【０００２】
耐震用のブレースは、柱と梁との間に斜めに配置される補強部材で、この部材によって、柱や梁の接合部の変形を抑制して構造強化を図るものである。
【０００３】
この耐震ブレースとして、例えば特許文献１に記載されたブレース部材がある。このブレース部材は、狭い開口部にブレースを交差して配置できるようにしたものである。
【０００４】
すなわち、このブレース部材は、交差する一対のブレース部材から成り、一方のブレース部材に他方のブレース材を貫通させる孔を設けたものである。そして、この孔に他方のブレース材を貫通して一対のブレース材を交差させる構成である。
【０００５】
一方、仮設枠組足場等に使用される交差ブレースが特許文献２に記載されている。この交差ブレースは、中央の交差部を回動自在に連結した一対のパイプ材で構成されたものである。
【先行技術文献】
【特許文献】
【０００６】
【特許文献１】特開２０１９−１９６４１号公報
【特許文献２】特開２０１０−２２９６９７号公報
【考案の概要】
【考案が解決しようとする課題】
【０００７】
特許文献１の構成において、一方のブレース部材に他方のブレース材を貫通させる孔は、一方のブレース部材の側面を開穿して形成した孔を使用するものである。そのため、ブレース材が交差する位置はこの孔の開穿位置に限定され、ブレース部材の交差位置を自由に調整することはできない。しかも、この孔は貫通させる他方のブレースを囲むように形成されているので、交差したブレース部材の交差角度を調整することは困難である。
【０００８】
一方、特許文献２の交差ブレースは、中央交差部を回動自在に連結しているので交差角度を容易に変更することが可能である。ところが、この交差ブレースは仮設枠組足場や支保工の組み立てに用いる交差ブレースであるから、建築構造物の補強として使用する耐震ブレースとして使用することはできない。
【０００９】
耐震ブレースは、建築構造物の様々な柱や梁に合わせて設置されるものである。したがって、交差するブレースの長さや角度などは、設置場所によって異なることが多い。そのため、一方のブレース部材に形成した孔に他方のブレース材を貫通させる構成や、交差部を回動自在に連結した交差ブレースでは、交差位置の変更ができない上に、ブレースの長さや交差角度なども制限される不都合が生じる。
【００１０】
そこで本考案は上述の課題を解消すべく案出されたもので、ブレースを交差して配置する耐震ブレースにおいて、ブレースの交差位置や交差角度等を任意に変更することが可能な交差部金物の提供を目的とするものである。
【課題を解決するための手段】
【００１１】
上述の目的を達成すべく本考案の第１の手段は、一方のブレース部材１に他方のブレース部材２を貫通させる貫通孔４が設けられ、これら一対のブレース部材１、２を交差して配置する交差部金物において、前記貫通孔４は前記一方のブレース部材１の長手略中央に連結される交差接続体３に形成され、前記一方のブレース部材１を二分して交差接続体３の両端に着脱自在にねじ止めしたことにある。
【００１２】
第２の手段の前記交差接続体３は、前記貫通孔４を形成した交差本体３Ａと、該交差本体３Ａの両端部に設けられた連結部３Ｂとを備え、前記一方のブレース部材１の端部を各連結部３Ｂにねじ止めするように構成したものである。
【００１３】
第３の手段は、前記貫通孔４を長孔状に形成し、該貫通孔４に挿通して交差した各ブレース部材の交差角度が６０度乃至９０度の角度で交差するように構成している。
【考案の効果】
【００１４】
本考案の請求項１によると、貫通孔４は前記一方のブレース部材１の長手略中央に連結される交差接続体３に形成され、前記一方のブレース部材１を二分して交差接続体３の両端に着脱自在にねじ止めしたことにより、ブレースの交差位置やブレースの長さを任意に変更することができる。この結果、建築構造物の様々な柱や梁に合わせて設置することが可能になった。
【００１５】
請求項２のごとく、交差接続体３は、貫通孔４を形成した交差本体３Ａと、該交差本体３Ａの両端部に設けられた連結部３Ｂとを備え、一方のブレース部材１の端部を各連結部３Ｂにねじ止めするように構成しているので、この交差接続体３と任意の長さのブレース部材１とを組み合わせることで、貫通孔４の位置を極めて容易に調整することができる。
【００１６】
請求項３のように、貫通孔４を長孔状に形成し、該貫通孔４に挿通して交差した各ブレース部材の交差角度が６０度乃至９０度の角度で交差するように構成したことで、建築物の一般的な補強仕様に対応させることが可能になり、交差部金物として極めて多くの現場に使用することができる。
【図面の簡単な説明】
【００１７】
【図１】本考案の使用状態を示す正面図である。
【図２】本考案の交差部金物の一実施例を示す平面図である。
【図３】本考案の交差部金物の使用状態を示す要部斜視図である。
【図４】本考案の他の使用状態を示す正面図である。
【考案を実施するための形態】
【００１８】
本考案を図示例に基づいて説明する。本考案交差部金物は、一対のブレース部材１、２と、交差接続体３と、貫通孔４とを主要構成とする。
【００１９】
一対のブレース部材１、２は、建築物の筋かいに用いる長尺部材であり、これらを交差して使用する。すなわち、一方のブレース部材１には、他方のブレース部材２を貫通させる貫通孔４が設けられている（図１参照）。
【００２０】
この貫通孔４は、一方のブレース部材１の長手略中央に連結される交差接続体３に形成されている（図１参照）。この交差接続体３は、一方のブレース部材１を長手方向に二分した位置に配置する接続部材で、交差本体３Ａと連結部３Ｂとを備えている（図２参照）。
【００２１】
したがって、一方のブレース部材１は、交差接続体３の両端に２本の棒状部材をねじ止めしてブレース部材１を構成したものである（図１参照）。
【００２２】
図示の交差本体３Ａは、略直方体状を成した部材で、長手中央に貫通孔４を形成し、この貫通孔４に近接する両側面に膨らみを形成したものである（図２参照）。そして、この貫通孔４に他方のブレース部材２を貫通して交差させる（図３参照）。
【００２３】
連結部３Ｂは、交差本体３Ａの両端部に設けられた部位で、この交差本体３Ａに雌ネジが設けられている（図２参照）。そして、この両端の連結部３Ｂにブレース部材１の端部をねじ止めすることで、一方のブレース部材１を形成している（図１、図４参照）。
【００２４】
この結果、交差接続体３を備えた一方のブレース部材１は、交差接続体３に連結する２本の棒状部材の長さを任意に変更することで、ブレース部材１の長さや交差接続体３の接続位置を自由に調整することが可能になる。また、他方のブレース部材２もブレース部材１の長さに合わせることが可能である。
【００２５】
貫通孔４は、交差接続体３に形成され他方のブレース部材２を貫通させる部位である。この貫通孔４を長孔状に形成することで、交差した各ブレース部材１、２の角度を任意に変更することができる。
【００２６】
すなわち、図１は、貫通孔４に挿通して交差した各ブレース部材の角度を６０度に設定した状態である。一方、図４は、交差した各ブレース部材の角度を９０度に設定した状態を示している。このように、各ブレース部材の角度を６０度乃至９０度の角度で交差するように貫通孔４を形成すると、建築物の各種補強仕様に対応させることが可能になる。
【００２７】
各ブレース部材１、２は、いずれも長手両端部に連結部材１０を備えている。そして、建築物Ｐに固定する場合は、建築物Ｐに固定されている固定金物Ｐ１にこの連結部材１０を連結して固定する（図１、図４参照）。
【００２８】
図示の連結部材１０は、各ブレース部材１、２の端部にナット１１で連結する構成の連結部材１０であるが、この連結部材１０は、他の構成に変更することも可能である。
【００２９】
尚、本考案は図示例に限定されるものではなく、ブレース部材１、２、交差接続体３、貫通孔４、連結部材１０の各構成は、本考案の要旨を変更しない範囲で任意に変更することができる。
【符号の説明】
【００３０】
Ｐ  建築物
Ｐ１  固定金物
１  ブレース部材
２  ブレース部材
３  交差接続体
３Ａ  交差本体
３Ｂ  連結部
４  貫通孔
１０  連結部材
１１  ナット
【図１】
0003224828.tif 000003
【図２】
0003224828.tif 000004
【図３】
0003224828.tif 000005
【図４】
0003224828.tif 000006